(57)【要約】【課題】  画像形成装置のアプリケーションプログラムおよびインストーラをユーザ側が作成できるようにし、セキュリティの確保も容易にする。【解決手段】  アプリケーション作成部１９はアプリケーションプログラムを作成する。送受信部１３はアプリケーションプログラムをネットワーク１７を介してベンダーＢに送信し、画像形成装置Ｃでの実行を許可するインストール用オフィシャルコードを要求し、ベンダーＢ側からのオフィシャルコードを受信する。インストーラ作成部２３は、受信したオフィシャルコードにアプリケーションプログラムを関連付けてアプリケーションプログラムのインストーラを作成する。【選択図】  図１
2011096050.tif 000002
【特許請求の範囲】
【請求項１】
画像形成装置で実行させるためのアプリケーションプログラムを所定のインストーラ作成プログラムを用いて作成するアプリケーション作成工程と、
前記アプリケーションプログラムをベンダーに送付し、前記画像形成装置での実行を許可するインストール用オフィシャルコードを要求するオフィシャルコード要求工程と、
前記オフィシャルコード要求を受けて前記アプリケーションプログラムに基づき前記オフィシャルコードを作成して前記インストーラ作成プログラム側へ交付するオフィシャルコード作成交付工程と、
前記インストーラ作成プログラムを用い、前記アプリケーションプログラムに前記オフィシャルコードを関連付けて前記アプリケーションプログラムのインストーラを作成するインストーラ作成工程と、
を具備することを特徴とするインストーラ作成方法。
【請求項２】
前記アプリケーション作成工程は前記インストーラ作成プログラムを動作限定した仮インストーラとして作成し、インストーラ作成工程は前記動作限定を外した前記インストーラを作成する請求項１記載のインストーラ作成方法。
【請求項３】
前記アプリケーション作成工程は動作機能および又は動作期間の限定された前記仮インストーラを作成する請求項２記載のインストーラ作成方法。
【請求項４】
前記オフィシャルコード作成交付工程は、前記アプリケーションプログラムのバイナリ値に基づき前記オフィシャルコードを作成する請求項１〜３いずれか１記載のインストーラ作成方法。
【請求項５】
前記オフィシャルコード要求工程における前記インストール用オフィシャルコードの要求、および前記オフィシャルコード作成交付工程における前記オフィシャルコードの交付は、ネットワークを介して要求および交付する請求項１〜４いずれか１記載のインストーラ作成方法。
【請求項６】
前記インストーラ作成工程は、前記アプリケーションプログラムに前記オフィシャルコードを関連付けるとき、前記オフィシャルコードが当該アプリケーションプログラムに基づくものか否かチェックプログラムを用いてチェックする請求項１〜４いずれか１記載のインストーラ作成方法。
【請求項７】
画像形成装置で実行させるためのアプリケーションプログラムのインストーラを作成するコンピュータに対し、
前記アプリケーションプログラムを作成するアプリケーション作成処理と、
前記アプリケーションプログラムをネットワークを介してベンダーに送付し、前記画像形成装置での実行を許可するインストール用オフィシャルコードを要求するオフィシャルコード要求処理と、
前記オフィシャルコード要求を受けて前記アプリケーションプログラムに基づき作成された前記オフィシャルコードを前記ネットワークを介して取得するオフィシャルコード取得処理と、
前記アプリケーションプログラムに前記オフィシャルコードを関連付けて前記アプリケーションプログラムのインストーラを作成するインストーラ作成処理と、
を実行させることを特徴とするインストーラ作成プログラム。
【請求項８】
前記アプリケーション作成処理は前記インストーラ作成プログラムを動作限定した仮インストーラとして作成し、インストーラ作成処理は前記動作限定を外した前記インストーラを作成する請求項７記載のインストーラ作成プログラム。
【請求項９】
前記アプリケーション作成処理は動作機能および又は動作期間の限定された前記仮インストーラを作成する請求項８記載のインストーラ作成プログラム。
【請求項１０】
前記オフィシャルコード作成取得処理は、前記アプリケーションプログラムのバイナリ値に基づき前記オフィシャルコードを取得する請求項７〜９いずれか１記載のインストーラ作成プログラム。
【請求項１１】
前記インストーラ作成処理は、前記アプリケーションプログラムに前記オフィシャルコードを関連付けるとき、前記オフィシャルコードが当該アプリケーションプログラムに基づくものか否かチェックする請求項７〜１０いずれか１記載のインストーラ作成プログラム。
【請求項１２】
所定のインストーラ作成プログラムを記憶する記憶部と、
画像形成装置で実行させるためのアプリケーションプログラムのインストーラを、前記インストーラ作成プログラムを用い外部からの指示入力に従って作成するアプリケーション作成部と、
前記アプリケーションプログラムをネットワークを介してベンダーに送信し、前記画像形成装置での実行を許可するインストール用オフィシャルコードを要求するとともに、当該インストール用オフィシャルコード要求を受けて前記アプリケーションプログラムに基づき作成された前記オフィシャルコードを前記ネットワークを介して受信する送受信部と、
前記インストーラ作成プログラムを用い、受信した前記オフィシャルコードに前記アプリケーションプログラムを関連付けて前記アプリケーションプログラムのインストーラを作成するインストーラ作成部と、
を具備してなることを特徴とするインストーラ作成装置。
【請求項１３】
前記アプリケーション作成部は前記インストーラ作成プログラムを動作限定した仮インストーラとして作成し、インストーラ作成部は前記動作限定を外した前記インストーラを作成する請求項１２記載のインストーラ作成装置。
【請求項１４】
前記アプリケーション作成部は動作機能および又は動作期間の限定された前記仮インストーラを作成する請求項１３記載のインストーラ作成装置。
【請求項１５】
前記オフィシャルコード送受信部は、前記アプリケーションプログラムのバイナリ値に基づく前記オフィシャルコードを取得する請求項１２〜１４いずれか１記載のインストーラ作成装置。
【請求項１６】
前記インストーラ作成部は、前記アプリケーションプログラムに前記オフィシャルコードを関連付けるとき、前記オフィシャルコードが当該アプリケーションプログラムに基づくものか否かチェックプログラムを用いてチェックする請求項１２〜１５いずれか１記載のインストーラ作成装置。
【請求項１７】
請求項１２〜１５いずれか１記載のインストーラ作成装置と、
このインストーラ作成装置にネットワークを介して接続され、画像データに基づき用紙に画像形成する画像形成部および前記オフィシャルコードの実行許可判別部を有する画像形成装置と、
を具備し、
前記画像形成装置は、前記インストーラ作成装置から前記ネットワークを介して入力された前記インストーラに対し、当該画像形成装置にて実行許可されるものと判別したとき、前記インストーラをインストールすることを特徴とするインストーラシステム。
【発明の詳細な説明】
【技術分野】
【０００１】
本発明はインストーラ作成方法、インストーラ作成プログラム、インストーラ作成装置およびインストーラシステムに係り、複写機、プリンタ、ファクシミリ機、これらの機能を有する複合機（ＭＦＰ：Multi Function Peripheral）等の画像形成装置におけるインストーラ作成方法、インストーラ作成プログラム、インストーラ作成装置およびインストーラシステムの改良に関する。
【背景技術】
【０００２】
従来、画像形成装置は、複数の給紙段から用紙を選択して搬送する一方、原稿から読み取った画像データに基づき感光体ドラムの表面に潜像を形成し、トナーカセットから供給したトナーによってその潜像にトナー像を形成し、その感光体ドラムからその搬送用紙にトナー像を転写させ、そのトナー像を定着部にて用紙に定着させて排紙する構成が良く知られており、アプリケーションプログラムをインストールすることによって種々の機能を達成可能になっている。
【０００３】
しかも、画像形成装置は、ユーザ側の希望や開発時に予期しない事象に対応するため、製造メーカ側が当初提供したアプリケーションプログラムを拡張又は変更可能になるよう、オペレーティングシステムおよびアプリケーションプログラムのインターフェースとなるＡＰＩ（application programming interface）を備えている。
【０００４】
これに加えて、画像形成装置において、アプリケーションプログラムのインストール、アップグレードおよびアンインストールを行うことで、ユーザがアプリケーションプログラムを拡張又は変更してカスタマイズし易いよう、製造メーカ側がそのアプリケーションプログラムを開発するための作成ツール(ＳＤＫ：software  development kit）を提供するようになってきている。
【０００５】
ところが、これによって悪意を持った開発者が、画像形成装置の情報、例えば印刷課金情報、パスワード管理情報、メールアドレス情報等を破壊、漏洩するアプリケーションプログラムを作成し易くなり、これを画像形成装置にインストールすることで、画像形成装置のセキュリティを低下させる懸念がある。
【０００６】
このような事態を防ぐため、アプリケーションプログラムをインストールするインストールプログラム（いわゆるインストーラ）を作成できるのは製造メーカだけに限定し、製造メーカの作成した特定インストーラによってのみアプリケーションプログラムを画像形成装置にインストール可能にする工夫がある。
【０００７】
他方、製造メーカ以外にもインストーラ作成を可能にするものの、作成されたインストーラを製造メーカで検査を受け、製造メーカからライセンスコードの発行を受け、画像形成装置にインストールする際に、そのライセンスコードを入力させて対応する工夫もある。
【０００８】
そして、画像形成装置のセキュリティを低下させないような特許文献を挙げるとすれば、例えば特開２００６−３４４１４６号公報（特許文献１）のようなアプリケーション開発用プログラムがある。
【０００９】
この特許文献１は、画像処理装置に実行させるためのアプリケーションプログラムを作成するためにコンピュータにより実行されるアプリケーション開発用プログラムであって、その画像処理装置に予め準備されている複数のコマンドごとに許可レベルを対応付けたコマンドレベルリストを含み、使用可能な許可レベルが予め与えられたレベルキーを取得するステップと、コマンドの入力を受付けるステップと、入力されたコマンドに対応付けられた許可レベルを前記コマンドレベルリストから取得するステップと、取得された許可レベルとレベルキーとから入力されたコマンドが有効か否かを判定するステップとをコンピュータに実行させるものであり、不正なアプリケーションプログラムの作成を防止したものである。
【先行技術文献】
【特許文献】
【００１０】
【特許文献１】特開２００６−３４４１４６号公報
【発明の概要】
【発明が解決しようとする課題】
【００１１】
しかしながら、上述したように、製造メーカだけが特定インストーラを作成する仕組みでは、インストーラ入手まで長い期間が必要であるうえ、作業が煩雑になる難点がある。
【００１２】
また、作成されたインストーラを製造メーカで検査を受けてライセンスコードを取得し、このライセンスコードを画像形成装置に入力させる対応でも、対応に期間が必要であるうえ作業が煩雑になる難点があるし、作成元においてインストーラのデバッグが容易にできず、作成の遅延につながる。
【００１３】
他方、上述した特許文献１では、複数のコマンド毎に許可レベルを対応付けて不正アプリケーションプログラムの作成を防止するものであり、不正アプリケーションプログラムのインストール自体を防ぐものではなく、根本的な対策になり難い。
【００１４】
本発明はそのような課題を解決するためになされたもので、ユーザが自由にアプリケーション作成可能であるうえ、不正アプリケーションプログラムに係るインストーラが作成され難く、セキュリティを確保し易いインストーラ作成方法、インストーラ作成プログラム、インストーラ作成装置およびインストーラシステムの提供を目的とする。
【課題を解決するための手段】
【００１５】
そのような課題を解決するために本発明の請求項１に係るインストーラ作成方法は、画像形成装置で実行させるためのアプリケーションプログラムを所定のインストーラ作成プログラムを用いて作成するアプリケーション作成工程と、そのアプリケーションプログラムをベンダーに送付し、その画像形成装置での実行を許可するインストール用オフィシャルコードを要求するオフィシャルコード要求工程と、そのオフィシャルコード要求を受けてアプリケーションプログラムに基づきオフィシャルコードを作成してインストーラ作成プログラム側へ交付するオフィシャルコード作成交付工程と、そのインストーラ作成プログラムを用い、そのアプリケーションプログラムにオフィシャルコードに関連付けてアプリケーションプログラムのインストーラを作成するインストーラ作成工程と、を具備している。
【００１６】
本発明の請求項２に係るインストーラ作成方法は、上記アプリケーション作成工程がそのインストーラ作成プログラムを動作限定した仮インストーラとして作成し、上記インストーラ作成工程がその動作限定を外したインストーラを作成する構成である。
【００１７】
本発明の請求項３に係るインストーラ作成方法は、上記アプリケーション作成工程が、動作機能および又は動作期間の限定されたその仮インストーラを作成する構成である。
【００１８】
本発明の請求項４に係るインストーラ作成方法は、上記オフィシャルコード作成交付工程が、そのアプリケーションプログラムのバイナリ値に基づきそのオフィシャルコードを作成する構成である。
【００１９】
本発明の請求項５に係るインストーラ作成方法は、上記オフィシャルコード要求工程におけるインストール用オフィシャルコードの要求、および上記オフィシャルコード作成交付工程におけるオフィシャルコードの交付を、ネットワークを介してする構成である。
【００２０】
本発明の請求項６に係るインストーラ作成方法は、上記インストーラ作成工程が、そのアプリケーションプログラムにオフィシャルコードを関連付けるとき、そのオフィシャルコードが当該アプリケーションプログラムに基づくものか否かチェックプログラムを用いてチェックする構成である。
【００２１】
本発明の請求項７に係るインストーラ作成プログラムは、画像形成装置で実行させるためのアプリケーションプログラムのインストーラを作成するコンピュータに対し、そのアプリケーションプログラムを作成するアプリケーション作成処理と、そのアプリケーションプログラムをネットワークを介してベンダーに送付し、その画像形成装置での実行を許可するインストール用オフィシャルコードを要求するオフィシャルコード要求処理と、そのオフィシャルコード要求を受けてアプリケーションプログラムに基づき作成されたオフィシャルコードをネットワークを介して取得するオフィシャルコード取得処理と、そのアプリケーションプログラムにオフィシャルコードを関連付けてアプリケーションプログラムのインストーラを作成するインストーラ作成処理と、を実行させるものである。
【００２２】
本発明の請求項８に係るインストーラ作成プログラムは、上記アプリケーション作成処理がそのインストーラ作成プログラムを動作限定した仮インストーラとして作成し、上記インストーラ作成処理がその動作限定を外したそのインストーラを作成する構成である。
【００２３】
本発明の請求項９に係るインストーラ作成プログラムは、上記アプリケーション作成処理が動作機能および又は動作期間の限定されたその仮インストーラを作成する構成である。
【００２４】
本発明の請求項１０に係るインストーラ作成プログラムは、上記オフィシャルコード作成取得処理が、そのアプリケーションプログラムのバイナリ値に基づきそのオフィシャルコードを取得する構成である。
【００２５】
本発明の請求項１１に係るインストーラ作成プログラムは、上記インストーラ作成処理が、そのアプリケーションプログラムにオフィシャルコードを関連付けるとき、そのオフィシャルコードが当該アプリケーションプログラムに基づくものか否かチェックする構成である。
【００２６】
本発明の請求項１２に係るインストーラ作成装置は、所定のインストーラ作成プログラムを記憶する記憶部と、画像形成装置で実行させるためのアプリケーションプログラムのインストーラを、そのインストーラ作成プログラムを用い外部からの指示入力に従って作成するアプリケーション作成部と、そのアプリケーションプログラムをネットワークを介してベンダーに送信し、その画像形成装置での実行を許可するインストール用オフィシャルコードを要求するとともに、当該インストール用オフィシャルコード要求を受けてアプリケーションプログラムに基づき作成されたオフィシャルコードをネットワークを介して受信する送受信部と、そのインストーラ作成プログラムを用い、受信したオフィシャルコードにアプリケーションプログラムを関連付けてアプリケーションプログラムのインストーラを作成するインストーラ作成部と、を具備している。
【００２７】
本発明の請求項１３に係るインストーラ作成装置は、上記アプリケーション作成部がそのインストーラ作成プログラムを動作限定した仮インストーラとして作成し、上記インストーラ作成部がその動作限定を外した前記インストーラを作成する構成である。
【００２８】
本発明の請求項１４に係るインストーラ作成装置は、上記アプリケーション作成部が動作機能および又は動作期間の限定された仮インストーラを作成する構成である。
【００２９】
本発明の請求項１５に係るインストーラ作成装置は、上記オフィシャルコード送受信部が、アプリケーションプログラムのバイナリ値に基づくそのオフィシャルコードを取得する構成である。
【００３０】
本発明の請求項１６に係るインストーラ作成装置は、上記インストーラ作成部が、そのアプリケーションプログラムにオフィシャルコードを関連付けるとき、そのオフィシャルコードが当該アプリケーションプログラムに基づくものか否かチェックプログラムを用いてチェックする構成である。
【００３１】
本発明の請求項１７に係るインストーラシステムは、それら請求項１２〜１５いずれか１記載のインストーラ作成装置と、このインストーラ作成装置とネットワークを介して接続され、画像データに基づき用紙に画像形成する画像形成部およびオフィシャルコードの実行許可判別部を有する画像形成装置とを具備し、上記画像形成装置が、そのインストーラ作成装置から前記ネットワークを介して入力されたインストーラに対し、その画像形成装置にて実行許可されるものと判別したとき、そのインストーラをインストールする構成である。
【発明の効果】
【００３２】
このような本発明の請求項１、７に係るインストーラ作成方法およびインストーラ作成プログラムでは、画像形成装置で実行させるためのアプリケーションプログラムを作成し、そのアプリケーションプログラムをベンダーに送付して画像形成装置での実行を許可するインストール用オフィシャルコードを要求し、そのオフィシャルコード要求に基づき作成されたオフィシャルコードの取得を受け、そのアプリケーションプログラムにオフィシャルコードを関連付けてアプリケーションプログラムのインストーラを作成するから、ユーザが自由にアプリケーションを作成可能であるうえ、不正アプリケーションプログラムに係るインストーラが作成され難く、セキュリティを確保し易い。
【００３３】
本発明の請求項２、８に係るインストーラ作成方法およびインストーラ作成プログラムでは、アプリケーションプログラムを動作限定した仮インストーラとして作成し、動作限定を外したインストーラを作成するから、セキュリティを確保した状態で、仮インストーラによって画像形成装置において試験的に動作を実行可能である。
【００３４】
本発明の請求項３、９に係るインストーラ作成方法およびインストーラ作成プログラムでは、動作機能および又は動作期間の限定されたその仮インストーラを作成するから、画像形成装置において試験的に動作を実行する際、セキュリティの確実な確保が可能で、インストーラの本インストール後の動作確保も可能である。
【００３５】
本発明の請求項４、１０に係るインストーラ作成方法およびインストーラ作成プログラムでは、そのアプリケーションプログラムのバイナリ値に基づきそのオフィシャルコードを作成するから、高精度かつ高速でオフィシャルコードの取得が可能である。
【００３６】
本発明の請求項５に係るインストーラ作成方法では、上記インストール用オフィシャルコードの要求および交付がネットワークを介してなされるから、オフィシャルコードの要求および交付が高速化されるし、操作性が向上する。
【００３７】
本発明の請求項６、１１に係るインストーラ作成方法およびインストーラ作成プログラムは、そのアプリケーションプログラムにオフィシャルコードを関連付けるとき、そのオフィシャルコードが当該アプリケーションプログラムに基づくものか否かチェックするから、それらアプリケーションプログラム又はオフィシャルコードが複数あっても関連付の誤りを防ぐことが容易である。
【図面の簡単な説明】
【００３８】
【図１】本発明に係るインストーラ作成方法を搭載したインストーラ作成装置を含むインストーラシステムを示す概略ブロック図である。
【図２】本発明に係るインストーラ作成装置で用いるインストーラ作成プログラムを説明する図である。
【図３】本発明に係るインストーラ作成装置の動作をインストーラ作成方法とともに説明するフローチャートである。
【図４】本発明に係る画像形成装置を示す概略ブロック図である。
【発明を実施するための形態】
【００３９】
以下、本発明の実施の形態を図面を参照して説明する。なお、本発明に係るインストーラ作成方法およびインストーラ作成プログラムはインストーラ作成装置およびインストーラシステムを説明する過程で説明する。
【００４０】
図１は本発明に係るインストーラ作成装置の実施の一形態をインストーラシステムとともに示す概略ブロック図である。
【００４１】
図１において、インストーラ作成装置Ａは、ＣＰＵ（central processing unit）１を中心にしてＲＯＭ（read only memory）３、ＲＡＭ（random access memory）５、記憶部７、入力操作部９、表示部１１、送受信部１３を有し、例えば情報処理装置（コンピュータ）である。情報処理装置としてはこれ以外にも種々の構成を有するが、本発明の要部ではないので説明および図示を省略する。
【００４２】
ＣＰＵ１は、ＲＯＭ３、ＲＡＭ５、記憶部７、入力操作部９、表示部１１および送受信部１３その他を制御するものであるが、詳細は後述する。
【００４３】
ＲＯＭ３はＣＰＵ１の例えば起動動作プログラムを格納したメモリであり、ＲＡＭ５はＣＰＵ１の動作に伴うプログラムを移してこの実行用および作業用に用いるメモリであり、記憶部７はインストーラ作成装置Ａの動作プログラム、インストーラ作成プログラムを格納した例えばハードディスクである。
【００４４】
インストーラ作成プログラム１５は、アプリケーションプログラムを開発するための作成ツール(ＳＤＫ）であり、例えば図２に示すように、ユーザ用のアプリケーションプログラム作成するプログラム本体およびプログラム部品（含む画像部品）であるユーザカスタマイズ部（ユーザプログラム）１５ａ、アプリケーションプログラムを作成するためのユーティリティプログラムを提供するＳＫＤ提供部１５ｂと、作成したアプリケーションプログラムからインストーラを作成するインストーラ作成ツール１５ｃを有し、本発明のインストーラ作成プログラムを構成している。
【００４５】
なお、実質的には、ユーザカスタマイズ部（ユーザプログラム）１５ａおよびＳＫＤ提供部１５ｂがアプリケーションプログラム作成ツールとして機能する。
【００４６】
ＳＫＤ提供部１５ｂは、ユーザカスタマイズ部１５ａで作成するアプリケーションプログラムについて外部との間で送受信制御する通信制御プログラムやＡＰＩ等を格納したライブラリ群１５ｂ１、作成したアプリケーションプログラムをコンパイルするコンパイラ１５ｂ２、作成したアプリケーションプログラムをデバッグするデバッガ１５ｂ３、作成したアプリケーションプログラムをシミュレートするシミュレータ１５ｂ４を有している。
【００４７】
インストーラ作成ツール１５ｃは、後述するオフィシャルコードを取り込んでこれを該当するアプリケーションプログラムに関連付けるオフィシャルコード入力部１５ｃ１と、入力するオフィシャルコードをアプリケーションプログラムに関連付けるとき、そのオフィシャルコードが当該アプリケーションプログラムに基づくものか同一性を否かチェックするチェックプログラムで動作するオフィシャルコードチェック部１５ｃ２を有している。
【００４８】
オフィシャルコードチェック部１５ｃ２は、例えば、アプリケーションプログラムから公知の手法によってハッシュ値を作成し、これと後述するようにオフィシャルコードに添付されたハッシュ値とを比較して一致、不一致を検出し、一致していたとき、当該アプリケーションプログラムに対応したオフィシャルコードである、すなわち同一のアプリケーションプログラムに対応したオフィシャルコードであるとチェック判別する機能を有している。
【００４９】
なお、インストーラ作成プログラム１５は、図示はしないが、ＩＣカード、フレキシブルディスク、光ディスク（ＭＯ）、ＤＶＤ（Digital Versatile Disc）等のように情報を固定的に担持する記憶媒体に記憶されて供給される。
【００５０】
図１の入力操作部９は、例えばキーボードやマウスであり、ＣＰＵ１の制御の下、種々の操作の入力を受け付けるとともに、アプリケーションプログラムおよび又はオフィシャルコードが各々複数ある場合、外部から対応付け指示するものでもある。
【００５１】
表示部１１は、インストーラ作成装置Ａの動作状態を表示するディスプレイであり、ＣＰＵ１によって表示制御される。
【００５２】
送受信部１３は、所定のプロトコルに従い、公知のネットワーク１７を介して後述するベンダー（製造メーカ又は販売店等の供給元）Ｂおよび画像形成装置Ｃとの間で情報を送受信する送受信機能を有する送受信インターフェースである。
【００５３】
ＣＰＵ１は、ＲＯＭ３、ＲＡＭ５および記憶部７を動作させ、上述したプログラムによってアプリケーション作成部１９、デバッグ部２１、インストーラ作成部２３としての機能を有するとともに、送受信部１３を制御する機能を有している。
【００５４】
アプリケーション作成部１９は、入力操作部９からの指示入力に従って、画像形成装置ＰＣで実行されるアプリケーションプログラムを、上述したインストーラ作成プログラム１５のユーザカスタマイズ部１５ａおよびＳＫＤ提供部１５ｂを用いて作成する機能を有している。
【００５５】
アプリケーション作成部１９は、動作限定した仮インストーラ、例えば後述する印刷動作機能のみ動作可能であるとか、動作期間が１４日に限定された仮インストーラを作成する機能を有している。
【００５６】
デバッグ部２１は、ＳＫＤ提供部１５ｂのデバッガ１５ｂ３を用い、作成されたアプリケーションプログラムのデバッグを行う機能を有している。
【００５７】
インストーラ作成部２３は、インストーラ作成ツール１５ｃのオフィシャルコード入力部１５ｃ１およびオフィシャルコードチェック部１５ｃ２を用い、後述するように、入力したオフィシャルコードについてこれが同一アプリケーションプログラムに基づくものか否か同一性をチェックするとともに、アプリケーションプログラム（仮インストーラ）に対してオフィシャルコードを関連付けるとともに、上述した動作限定を外したインストーラ（本インストーラ）を作成する機能を有している。
【００５８】
オフィシャルコードチェック部１５ｃ２は、アプリケーションプログラムから自身が作成したハッシュ値とオフィシャルコードに添付されたハッシュ値とを比較して一致していたとき、当該アプリケーションプログラムに対応したオフィシャルコードであるとチェックする。
【００５９】
上述した送受信部１３は、アプリケーションプログラムをネットワーク１５を介してベンダーＢに送信し、画像形成装置Ｃでの実行を許可するインストール用オフィシャルコードを要求するとともに、アプリケーションプログラムに基づき作成されたオフィシャルコードをネットワーク１５を介して受信する機能を有している。
【００６０】
ベンダーＢは、情報処理装置（サーバ）において、ネットワーク１５を介して接続されたインストーラ作成装置Ａからインストール用オフィシャルコードの要求を受けたとき、アプリケーションプログラムをチェックし、その実行を許可可能であると判別したとき、アプリケーションプログラムのバイナリ値に基づきオフィシャルコードを作成し、インストール用オフィシャルコードの要求側にネットワーク１５を介して交付する機能を有している。
【００６１】
オフィシャルコードは、アプリケーションプログラムのバイナリ値から公知のアルゴリズムによって当該アプリケーションプログラムを特定する情報として自動的に作成されるもので、アプリケーションプログラムが異なれば、異なるコードとなる。
【００６２】
情報処理装置（サーバ）Ｂは、オフィシャルコードを作成するとき、上述したオフィシャルコードチェック部１５ｃ２の手法と同じ手法により、当該アプリケーションプログラムからハッシュ値を作成し、これをオフィシャルコードに添付して交付（出力）する機能を有している。
【００６３】
次に、本発明のインストーラ作成装置Ａの動作を図３を参照して簡単に説明する。
【００６４】
入力操作部９からの指示入力に従い、情報処理装置（ユーザ）側Ａで、アプリケーション作成部１９が、ユーザプログラム１５ａを用いて、画像形成装置Ｃで実行されるアプリケーションプログラムの仮インストーラを作成し（アプリケーション作成工程、アプリケーション作成処理）、作成されたアプリケーションプログラムをデバッグ部２１にてデバッグを行う（デバッグ工程、デバッグ処理）。
【００６５】
デバッグされたアプリケーションプログラムを、送受信部１３からネットワーク１７を介してベンダーＢに送信し、画像形成装置ＰＣでの実行を許可するインストール用オフィシャルコードを要求する（オフィシャルコード要求工程、オフィシャルコード要求処理）。
【００６６】
アプリケーションプログラムに基づき作成されたオフィシャルコードがネットワーク１７を介して送受信部１３で取得されると（オフィシャルコード作成交付工程、オフィシャルコード作成交付処理）、インストーラ作成部２３は、インストーラ作成ツール１５ｃを用い、受信したオフィシャルコードをアプリケーションプログラムに関連付けるとともにこれを含めたアプリケーションプログラムのインストーラを作成する（インストーラ作成工程、インストーラ作成処理）。
【００６７】
インストーラを作成するとき、インストーラ作成部２３は、そのオフィシャルコードが当該アプリケーションプログラムに基づくものか否かチェックプログラムを用いてチェックし、同一であるとき、インストーラを作成する（インストーラ作成工程、インストーラ作成処理）。
【００６８】
これらの主要な工程が本発明のインストーラ作成方法およびインストーラ作成プログラム１５を構成する。
【００６９】
そして、本発明のインストーラ作成装置は、所定のインストーラ作成プログラム１５を記憶する記憶部７と、画像形成装置Ｃで実行させるためのアプリケーションプログラムのインストーラを、そのインストーラ作成プログラムを用い外部からの指示入力に従って作成するアプリケーション作成部１９と、そのアプリケーションプログラムをネットワーク１７を介してベンダーＢに送信し、その画像形成装置Ｃでの実行を許可するインストール用オフィシャルコードを要求するとともに、当該インストール用オフィシャルコード要求を受けてアプリケーションプログラムに基づき作成されたオフィシャルコードをネットワークを介して受信する送受信部１３と、そのインストーラ作成ツールを用い、受信したオフィシャルコードにアプリケーションプログラムを関連付けてアプリケーションプログラムのインストーラを作成するインストーラ作成部２３と、を具備している。
【００７０】
しかも、アプリケーション作成部１９は、アプリケーションプログラムの動作機能および又は動作期間の限定された仮インストーラとして作成し、インストーラ作成部２３は動作限定を外したインストーラを作成するよう構成されている。
【００７１】
そのため、ユーザ側において、アプリケーションプログラムおよびインストーラの作成が可能であり、操作性が向上する。
【００７２】
しかも、オフィシャルコードがアプリケーションプログラムに紐付けられており、アプリケーションプログラムが変更されると当該オフィシャルコードを使用できなくなり、オフィシャルコードの使い回しが困難で、セキュリティを確保し易い。
【００７３】
また、セキュリティを確保した状態で、仮インストーラによって画像形成装置Ｃにおいて試験的に動作を実行可能であるし、画像形成装置Ｃにおいて試験的に動作を実行する際、セキュリティを確実な確保が可能で、インストーラの本インストール後の動作の確保も可能である。
【００７４】
もっとも、本発明において、仮インストーラの機能限定は、アプリケーションプログラムの動作機能および動作期間に限定されず、種々の限定要素が考えられる。
【００７５】
さらに、オフィシャルコードは、アプリケーションプログラムのバイナリ値に基づくものを取得するから、アプリケーションプログラム毎にこれを特定するものが高精度、高速で得られ、インストーラ作成部２３の処理能力を低下させ難い。
【００７６】
さらにまた、そのアプリケーションプログラムにオフィシャルコードを関連付けるとき、そのオフィシャルコードが当該アプリケーションプログラムに基づくものか否かチェックするから、それらアプリケーションプログラム又はオフィシャルコードが複数あっても関連付の誤りを防ぐことが容易である。
【００７７】
また、上述したネットワーク１７としては、Ｗｅｂ（World Wide Web）システムのワークフローその他、種々のもので実施可能である。
【００７８】
本発明のインストーラ作成方法およびインストーラ作成プログラムにおいても、上述した効果と同様の効果が得られる。
【００７９】
次に、本発明に係る画像形成装置Ｃを図４を参照して説明する。
【００８０】
図４において、画像形成装置Ｃは、主制御部２５を中心にして画像読取部２７、記憶部２９、操作パネル部３１、印刷部３３および通信部３５を有し、例えば複合機を構成している。画像形成装置Ｃとしてはこれ以外にも種々の構成を有するが、本発明の要部ではないので説明および図示を省略する。
【００８１】
主制御部２５は、画像読取部２７、記憶部２９、操作パネル部３１、印刷部３３および通信部３５その他を制御するものである。
【００８２】
画像読取部２７は、画像形成装置Ｃにおいて、主制御部２５の制御の下、例えば印刷された原稿から画像を光学的に読み込み、フィルタ処理等をして電子的画像データを生成する公知のスキャナー等であり、生成した画像データが原稿の頁毎に記憶部２９に順次記憶されるようになっている。
【００８３】
記憶部２９は、画像読取部２７からの画像データ、主制御部２５の動作プログラム等を格納する読み書き可能な例えばハードディスク（ＨＤＤ）である。
【００８４】
操作パネル部３１は、画像形成装置Ｃの動作状態を表示する表示部として機能するとともに、印刷する用紙である用紙の選択、印刷の実行又は中止、印刷部数等の指示入力部としての機能を有しており、主制御部２５によって制御される。
【００８５】
印刷部３３は、図示はしないが、主制御部２５の制御の下、用紙のセットされる複数の給紙段と、給紙段から１次給紙された用紙を２次給紙するとともに、２次給紙された用紙に対し、画像データに基づき形成したトナー像を転写する画像形成部と、トナー像の転写された用紙を加熱定着する定着部その他を有して形成されている。
【００８６】
通信部３５は、主制御部２５の制御の下、上述した画像データの受信機能に加えて、インストーラ作成装置Ａからインストーラを入力して主制御部２５に出力する機能を有している。
【００８７】
主制御部２５は、ＣＰＵ、このＣＰＵの起動プログラムを格納した作業用メモリ部、入出力インターフェース（いずれも図示せず。）を有し、上述した画像読取部２７、記憶部２９、操作パネル部３１、印刷部３３および通信部３５その他を制御するとともに以下の判別機能を有している。
【００８８】
すなわち、主制御部２５は、通信部３５を介してインストーラ作成装置Ａから入力されたインストーラに対し、予め設定された判定基準に従ってオフィシャルコードが当該画像形成装置Ｃにて実行許可されるか否か判別する判別部３７としての機能を有している。
【００８９】
判別部３７が実行許可されるオフィシャルコードであると判別したとき、主制御部２５は、インストール実行環境を整え、そのインストーラ（アプリケーションプログラム）を記憶部２９に格納し、開発時のアプリケーションプログラムを拡張又は変更制御する機能を有し、以降、拡張又は変更されたアプリケーションプログラムによる動作を確保する機能を有している。
【００９０】
ところで、本発明のインストーラシステムは、上述したように、インストーラ作成装置Ａと、インストーラ作成装置Ａにネットワーク１７を介して接続され、画像データに基づき用紙に画像形成する画像形成部（印刷部）３３およびオフィシャルコードの実行許可を判別する判別部３７を有する画像形成装置Ｃとを具備しており、その画像形成装置Ｃは、インストーラ作成装置Ａからネットワーク１７を介して入力されたインストーラに対し、オフィシャルコードが当該画像形成装置Ｃにて実行許可されると判別したとき、そのインストーラをインストールする構成を有している。
【００９１】
そのため、上述したインストーラ作成装置Ａの効果に加えて、インストーラ作成装置Ａから画像形成装置Ｃに対して、セキュリティを確保した状態で、インストーラをオンラインでインストール可能となって操作性が向上する。
【００９２】
なお、本発明においては、図３の破線で示すように、インストーラ作成装置Ａで作成したアプリケーションプログラムを画像形成装置Ｃに送信し、画像形成装置Ｃにてデバッグ処理させ、デバッグ処理結果を受けてインストーラ作成装置Ａからオフィシャルコード要求を出す構成も可能であり、これに合わせて画像形成装置Ｃを形成すれば良い。
【符号の説明】
【００９３】
１  ＣＰＵ
３  ＲＯＭ
５  ＲＡＭ
７  記憶部
９  入力操作部
１１  表示部
１３  送受信部
１５  インストーラ作成プログラム
１５ａ  ユーザカスタマイズ部
１５ｂ  ＳＫＤ提供部
１５ｃ  インストーラ作成ツール（作成ツール：ＳＤＫ）
１５ｂ１  ライブラリ群
１５ｂ２  コンパイラ
１５ｂ３  デバッガ
１５ｂ４  シミュレータ
１５ｃ１  オフィシャルコード入力部
１５ｃ２  オフィシャルコードチェック部
１７  ネットワーク
１９  アプリケーション作成部
２１  デバッグ部
２３  インストーラ作成部
２５  主制御部
２７  画像読取部
２９  記憶部
３１  操作パネル部
３３  印刷部
３５  通信部
３７  判別部
Ａ  インストーラ作成装置（情報処理装置、コンピュータ）
Ｂ  ベンダー（情報処理装置（サーバ）
Ｃ  画像形成装置
【図１】
2011096050.tif 000003
【図２】
2011096050.tif 000004
【図３】
2011096050.tif 000005
【図４】
2011096050.tif 000006